(57)【要約】【課題】複数のフォーマットのディスクに対応する光ディスク装置に関して、個体ばらつきに起因する受光信号レベルのばらつき補正のための補正値を求める工程に要する時間を短縮化して、製品コストの削減を図る。【解決手段】フォーマットごとの補正値の取得を、共通の反射体を用いて行うものとする。これにより、各フォーマットの基準ディスクを用いてそれぞれのフォーマットの補正値の取得を行う従来との比較で、補正値を求める工程に要する時間を効果的に短縮でき、結果、補正値を求めるための工程に要する人件費等を削減でき、製品コストの削減を図ることができる。【選択図】図３
2012248245.tif 000002
【特許請求の範囲】
【請求項１】
複数の光ディスク記録媒体のフォーマットにそれぞれ対応した複数の光源と、
上記光源より出射された光を対物レンズを介して出射すると共に、当該対物レンズを介して得られる戻り光を受光する光照射／受光部と、
上記光照射／受光部で得られた受光信号のレベル調整を行うレベル調整部と、
上記複数の光源より出射された光を反射率が既知である共通の反射体にそれぞれ集光したときの戻り光の受光信号レベルを取得すると共に、それら取得した受光信号レベルと、上記フォーマットごとに定められた上記受光信号の基準レベルとに基づき、上記フォーマットごとに、上記受光信号レベルを上記基準レベルに補正するための補正値を求める補正値取得部と
を備える光ディスク装置。
【請求項２】
上記反射体は、上記光ディスク装置に装着可能な形状を有する媒体に形成されたものであり、
上記補正値取得部は、
上記媒体に形成された上記反射体に上記複数の光源より出射された光をそれぞれ集光したときの戻り光の受光信号レベルを取得した結果に基づき、上記フォーマットごとの上記補正値を求める
請求項１に記載の光ディスク装置。
【請求項３】
上記反射体は、その反射率が既知である基準ディスクとしての光ディスク記録媒体の反射面であり、
上記補正値取得部は、
上記基準ディスクに形成された上記反射面に上記複数の光源より出射された光をそれぞれ集光したときの戻り光の受光信号レベルを取得した結果に基づき、上記フォーマットごとの上記補正値を求める
請求項２に記載の光ディスク装置。
【請求項４】
上記反射面は、上記基準ディスクの記録面であり、
上記補正値取得部は、
上記基準ディスクの記録面に上記複数の光源より出射された光をそれぞれ集光したときの戻り光の受光信号レベルを取得した結果に基づき、上記フォーマットごとの上記補正値を求める
請求項３に記載の光ディスク装置。
【請求項５】
上記複数の光源としてＣＤ（Compact Disc）用光源、ＤＶＤ（Digital Versatile Disc）用光源、ＢＤ（Blu-ray Disc）用光源をそれぞれ備え、
上記基準ディスクは、ＢＤフォーマットに準拠した基準ディスクとされ、
上記補正値取得部は、
上記基準ディスクの記録面に上記複数の光源より出射された光をそれぞれ集光したときの戻り光の受光信号レベルを取得した結果に基づき、ＣＤ、ＤＶＤ、ＢＤの各フォーマットごとの上記補正値を求める
請求項４に記載の光ディスク装置。
【請求項６】
上記補正値取得部は、
上記対物レンズをフォーカス方向に駆動したときに得られる上記受光信号の最大値を、上記記録面への集光時の受光信号レベルとして取得する
請求項５に記載の光ディスク装置。
【請求項７】
上記反射面は、上記基準ディスクの表面であり、
上記補正値取得部は、
上記基準ディスクの表面に上記複数の光源より出射された光をそれぞれ集光したときの戻り光の受光信号レベルを取得した結果に基づき、上記フォーマットごとの上記補正値を求める
請求項３に記載の光ディスク装置。
【請求項８】
上記複数の光源としてＣＤ（Compact Disc）用光源、ＤＶＤ（Digital Versatile Disc）用光源、ＢＤ（Blu-ray Disc）用光源をそれぞれ備え、
上記基準ディスクは、ＣＤフォーマット又はＤＶＤフォーマットに準拠した基準ディスクとされ、
上記補正値取得部は、
上記基準ディスクの表面に上記複数の光源より出射された光をそれぞれ集光したときの戻り光の受光信号レベルを取得した結果に基づき、ＣＤ、ＤＶＤ、ＢＤの各フォーマットごとの上記補正値を求める
請求項７に記載の光ディスク装置。
【請求項９】
上記補正値取得部は、
上記対物レンズをフォーカス方向に駆動したときに最初に得られた上記受光信号のピーク値を、上記表面への集光時の受光信号レベルとして取得する
請求項８に記載の光ディスク装置。
【請求項１０】
上記補正値取得部は、
上記光ディスク装置の所定位置に対して設けられた上記反射体に上記複数の光源より出射された光をそれぞれ集光したときの戻り光の受光信号レベルを取得した結果に基づき、上記フォーマットごとの上記補正値を求める
請求項１に記載の光ディスク装置。
【請求項１１】
上記反射体は、
上記光照射／受光部により上記光源から出射された光を集光できる位置で、且つ光ディスク記録媒体が装着された場合の位置に対し半径方向にて重ならない位置に形成されている
請求項１０に記載の光ディスク装置。
【請求項１２】
装填された光ディスク記録媒体のフォーマットに対応した上記補正値に基づいて上記レベル調整部によるレベル調整を実行させるレベル補正制御部をさらに備える
請求項１に記載の光ディスク装置。
【請求項１３】
複数の光ディスク記録媒体のフォーマットにそれぞれ対応した複数の光源より出射された光を対物レンズを介して出射し、当該対物レンズを介して得られる戻り光を受光すると共に、受光信号についてのレベル調整を行うことが可能に構成された光ディスク装置における受光レベル補正値取得方法であって、
上記複数の光源より出射された光を反射率が既知である共通の反射体にそれぞれ集光したときの戻り光の受光信号レベルを取得すると共に、それら取得した受光信号レベルと、上記フォーマットごとに定められた上記受光信号の基準レベルとに基づき、上記フォーマットごとに、上記受光信号レベルを上記基準レベルに補正するための補正値を求める
受光レベル補正値取得方法。
【請求項１４】
複数の光ディスク記録媒体のフォーマットにそれぞれ対応した複数の光源より出射された光を対物レンズを介して出射し、当該対物レンズを介して得られる戻り光を受光すると共に、受光信号についてのレベル調整を行うことが可能に構成された光ディスク装置において実行されるべきプログラムであって、
上記複数の光源より出射された光を反射率が既知である共通の反射体にそれぞれ集光したときの戻り光の受光信号レベルを取得すると共に、それら取得した受光信号レベルと、上記フォーマットごとに定められた上記受光信号の基準レベルとに基づき、上記フォーマットごとに、上記受光信号レベルを上記基準レベルに補正するための補正値を求める補正値取得処理を、上記光ディスク装置に実行させる
プログラム。
【発明の詳細な説明】
【技術分野】
【０００１】
本技術は、光ディスク記録媒体についての記録又は再生を行う光ディスク装置とその受光レベル補正値取得方法、及び光ディスク装置において実行されるべきプログラムに関する。
【先行技術文献】
【特許文献】
【０００２】
【特許文献１】特開２０００−２０７７６６号公報
【背景技術】
【０００３】
例えばＣＤ（Compact Disc）、ＤＶＤ（Digital Versatile Disc）、ＢＤ（Blu-lay Disc：登録商標）などの光ディスク記録媒体（以下、光ディスクとも表記）が広く普及している。
【０００４】
これら光ディスクについて記録又は再生を行う光ディスク装置では、光学ピックアップの光学系や受光素子の個体ばらつきに起因して生じる受光信号レベルのばらつきを補正するため、個体ごとに受光信号のレベル調整を行うのが一般的である。
このような個体ばらつきを補正するための補正値は、基準ディスクを用いて求めるものとされる。具体的には、基準ディスクを用いた場合に得られる受光信号レベルを基準レベルとし、個々の製品で基準ディスクを装填して得られた受光信号レベルが当該基準レベルに一致するように、その個体にて設定されるべき補正値を求めるというものである。
このようにして求めた補正値に基づき、個々の個体が受光信号のレベルを調整することで、個体ばらつきを効果的に抑制することができる。
【発明の概要】
【発明が解決しようとする課題】
【０００５】
ここで、光ディスク装置としては、１台で複数のフォーマットのディスクに対応可能に構成されたものがある。例えば、ＢＤ、ＤＶＤ、ＣＤの３種のフォーマットのディスクに対応するものがある。
【０００６】
このように複数のフォーマットに対応する光ディスク装置では、上記のような個体ばらつき補正のための補正値は、それぞれのフォーマットごとに求めることになる。すなわち、例えばＢＤ、ＤＶＤ、ＣＤの各光学特性に対応した、３種の補正値をそれぞれ求めておくものである。
【０００７】
このため従来においては、複数のフォーマットに対応する光ディスク装置についてのばらつき補正のための補正値は、それぞれのフォーマットの基準ディスクを用いて求めるようにされている。
【０００８】
しかしながら、このように各フォーマットの基準ディスクをそれぞれ用いて補正値を求めるということは、その分、補正値を求める工程に要する時間が増加するものとなり、結果、人件費等の増加に伴い製品コストの増加を招いてしまう。
【０００９】
本技術はかかる問題点に鑑み為されたものであり、複数のフォーマットのディスクに対応する光ディスク装置に関して、個体ばらつきの補正のための補正値を求める工程に要する時間を短縮化して、製品コストの削減を図ることをその課題とする。
【課題を解決するための手段】
【００１０】
上記課題の解決のため、本技術では光ディスク装置として以下のように構成することとした。
つまり、本技術の光ディスク装置は、複数の光ディスク記録媒体のフォーマットにそれぞれ対応した複数の光源を備える。
また、上記光源より出射された光を対物レンズを介して出射すると共に、当該対物レンズを介して得られる戻り光を受光する光照射／受光部を備える。
また、上記光照射／受光部で得られた受光信号のレベル調整を行うレベル調整部を備える。
また、上記複数の光源より出射された光を反射率が既知である共通の反射体にそれぞれ集光したときの戻り光の受光信号レベルを取得すると共に、それら取得した受光信号レベルと、上記フォーマットごとに定められた上記受光信号の基準レベルとに基づき、上記フォーマットごとに、上記受光信号レベルを上記基準レベルに補正するための補正値を求める補正値取得部を備えるものである。
【００１１】
上記のように本技術では、フォーマットごとの補正値の取得を、共通の反射体を用いて行うものとしている。これにより、各フォーマットの基準ディスクを用いてそれぞれのフォーマットの補正値取得を行う従来との比較で、補正値を求める工程に要する時間を効果的に短縮できる。
【発明の効果】
【００１２】
本技術によれば、複数のフォーマットのディスクに対応する光ディスク装置に関して、個体ばらつき補正のための各フォーマットごとの補正値を求める工程に要する時間を効果的に短縮できる。
この結果、補正値を求めるための工程に要する人件費等を削減でき、製品コストの削減を図ることができる。
【図面の簡単な説明】
【００１３】
【図１】第１の実施の形態としての光ディスク装置の内部構成を示した図である。
【図２】第１の実施の形態としての補正値取得手法についての説明するための図である。
【図３】第１の実施の形態としての補正値取得手法を実現するために実行されるべき処理の手順を示したフローチャートである。
【図４】第２の実施の形態の光ディスク装置の構成について説明するための図である。
【図５】第２の実施の形態としての補正値取得手法についての説明するための図である。
【図６】第２の実施の形態としての補正値取得手法を実現するために実行されるべき処理の手順を示したフローチャートである。
【図７】第３の実施の形態の光ディスク装置の内部構成を示した図である。
【図８】反射体が形成された突起部の形成位置の例を示した図である。
【図９】第３の実施の形態としての補正値取得手法について説明するための図である。
【図１０】第３の実施の形態としての補正値取得手法を実現するために実行されるべき処理の手順を示したフローチャートである。
【発明を実施するための形態】
【００１４】
以下、本技術に係る実施の形態について説明する。
なお、説明は以下の順序で行う。
＜１．第１の実施の形態（記録面使用による補正値取得手法）＞
［1-1．光ディスク装置の構成例］
［1-2．第１の実施の形態の補正値取得手法］
［1-3．処理手順］
＜２．第２の実施の形態（表面使用による補正値取得手法）＞
［2-1．光ディスク装置の構成例］
［2-2．第２の実施の形態の補正値取得手法］
［2-3．処理手順］
＜３．第３の実施の形態（ドライブに設けた反射体使用による補正値取得手法）＞
［3-1．光ディスク装置の構成例］
［3-2．第３の実施の形態の補正値取得手法］
［3-3．処理手順］
＜４．変形例＞
【００１５】
＜１．第１の実施の形態（記録面使用による補正値取得手法）＞
［1-1．光ディスク装置の構成例］
図１は、本技術に係る第１の実施の形態としての光ディスク装置（光ディスク装置１とする）の内部構成を示している。
先ず、図中の光ディスクＤは、円盤状の光記録媒体（光ディスク記録媒体）である。ここで、光記録媒体とは、光の照射により情報の記録又は再生が行われる記録媒体を指す。
【００１６】
本例の光ディスク装置１は、光ディスクＤとして、ＣＤ（Compact Disc）、ＤＶＤ（Digital Versatile Disc）、ＢＤ（Blu-ray Disc：登録商標）にそれぞれ対応してその記録及び再生が可能に構成されている。
【００１７】
光ディスクＤは、光ディスク装置１に装填されると、そのセンターホールがクランプされた状態で図中のスピンドルモータ（ＳＰＭ）２により例えば線速度一定制御等の所定の回転制御方式に従って回転駆動される。
【００１８】
光ディスク装置１には、このように回転駆動される光ディスクＤに対して情報の記録／再生を行うためのレーザ光の照射、及び光ディスクＤに照射された当該レーザ光の反射光（戻り光）を受光するための光学ピックアップＯＰが設けられる。
【００１９】
光学ピックアップＯＰ内には、上記レーザ光の光源となるレーザダイオードが設けられた発光部３が備えられている。
本実施の形態の光ディスク装置１は、ＣＤ、ＤＶＤ、ＢＤのそれぞれに対応して記録／再生を行うため、当該発光部３には、ＣＤ用レーザ（波長＝７８０nm程度）、ＤＶＤ用レーザ（波長＝６５０nm程度）、及びＢＤ用レーザ（波長＝４０５nm程度）がそれぞれ設けられる。
【００２０】
また、光学ピックアップＯＰ内には、発光部３より発光されるそれぞれのレーザ光を光ディスクＤに集光するための対物レンズ４、及び当該対物レンズ４を光ディスクＤに接離する方向（フォーカス方向）及び半径方向（トラッキング方向）に変位可能に保持する２軸アクチュエータ５が設けられる。
【００２１】
また、光学ピックアップＯＰ内には、対物レンズ４を介して得られる光ディスクＤからの反射光を受光するためのフォトディテクタを具備する受光部６が備えられる。
この受光部６が備えるフォトディテクタ（受光素子）としては、ＢＤ，ＤＶＤ，ＣＤの全てに共通となるものを備えるようにしてもよいし、或いはＢＤ用とＤＶＤ・ＣＤ用とで個別に設けるものとしてもよい。個別に設けられる場合は、点灯したレーザに対応するフォトディテクタの受光信号のみが選択的に出力されるように構成しておく。
【００２２】
また、光学ピックアップＯＰ内には、発光部３より出射されたレーザ光を対物レンズ４に導き、且つ上記反射光を受光部６に導くための光学系が備えられている。
【００２３】
また、光学ピックアップＯＰ全体は、図中のスライド駆動部７により、トラッキング方向にスライド移動可能に保持されている。
【００２４】
光学ピックアップＯＰに設けられた発光部３において、ＣＤ用レーザ、ＤＶＤ用レーザ、ＢＤ用レーザのそれぞれは、発光駆動部１４により個別に発光駆動可能とされる。具体的に、発光部１４は、コントローラ１２からの指示に応じてＣＤ用レーザ、ＤＶＤ用レーザ、ＢＤ用レーザを個別に（選択的に）発光駆動する。
【００２５】
記録時においては、発光駆動部１４が記録データに従って発光部３における対応するレーザ（コントローラ１２により指示されたレーザ）を記録パワーで発光駆動することで、光ディスクＤに対する記録を実現する。
また再生時には、発光駆動部１４が発光部３における対応するレーザを再生パワーにより発光駆動することで、光ディスクＤからの情報読み出しが行われるようにする。
【００２６】
光学ピックアップＯＰに設けられた受光部６による受光信号は、レベル調整部８に供給される。レベル調整部８は、コントローラ１２からの指示に応じて受光部６からの受光信号のレベル調整（ゲイン調整）を行う。
レベル調整部８によりレベル調整された受光信号は、信号生成回路９に供給される。
【００２７】
信号生成回路９は、レベル調整部８を介して供給される受光信号に基づき、マトリクス演算処理により必要な信号を生成する。
例えば再生データを得るための高周波信号（再生データ信号：以下ＲＦ信号と表記）、サーボ制御のためのフォーカスエラー信号ＦＥ、及びトラッキングエラー信号ＴＥを生成する。また、全光量信号としてのPull-In信号も生成する。
ここで、フォーカスエラー信号ＦＥは、光ディスクＤに形成された記録面（反射面）に対する上記レーザ光の合焦位置の誤差を表す信号である。またトラッキングエラー信号ＴＥは、上記記録面に形成されたトラック（ピット列又はグルーブ）に対する上記レーザ光の照射スポットのトラッキング方向における位置誤差を表す信号となる。
【００２８】
信号生成回路９が生成したＲＦ信号は、図示は省略した再生処理部に供給され、データ再生、クロック生成等に用いられる。
【００２９】
また、信号生成回路９が生成したPull-In信号は、コントローラ１２に対して供給される。
【００３０】
また、フォーカスエラー信号ＦＥ及びトラッキングエラー信号ＴＥは、サーボ回路１０へ供給される。
サーボ回路１０は、これらフォーカスエラー信号ＦＥ、トラッキングエラー信号ＴＥからフォーカス、トラッキング、スレッドの各種サーボ信号を生成し、サーボ動作を実行させる。
すなわち、フォーカスエラー信号ＦＥ、トラッキングエラー信号ＴＥに応じてフォーカスサーボ信号、トラッキングサーボ信号をそれぞれ生成し、これらを２軸ドライバ１１に与える。
２軸ドライバ１４は、これらフォーカスサーボ信号、トラッキングサーボ信号に基づき生成したフォーカスドライブ信号、トラッキングドライブ信号により、２軸アクチュエータ５のフォーカスコイル、トラッキングコイルをそれぞれ駆動する。これにより、２軸アクチュエータ５→レベル調整部８→信号生成回路９→サーボ回路１０→２軸ドライバ１１→２軸アクチュエータ５・・・によるフォーカスサーボループ及びトラッキングサーボループがそれぞれ形成される。
【００３１】
また、サーボ回路１０は、トラッキングエラー信号ＴＥの低域成分として得られるスライドエラー信号や、コントローラ１２からのアクセス実行制御などに基づいてスライドドライブ信号を生成し、スライド駆動部７を駆動する。スライド駆動部７は、図示は省略したが、光学ピックアップＯＰを保持するメインシャフト、スライドモータ、伝達ギア等による機構を有し、上記スライドドライブ信号に応じて上記スライドモータを駆動することで、光学ピックアップＯＰの所要のスライド移動を実現する。
【００３２】
コントローラ１２は、例えばＣＰＵ（Central Processing Unit）、ＲＯＭ（Read Only Memory）、ＲＡＭ（Random Access Memory）を備えたマイクロコンピュータで構成され、例えば上記ＲＯＭ等のメモリに格納されたプログラムに従った制御・処理を実行することで、光ディスク装置１の全体制御を行う。
例えばコントローラ１２は、サーボ回路１０に指示を出すことにより、スライド駆動部７によって所定の位置（アドレス）に光学ピックアップＯＰを移動させる。またコントローラ１２は、前述した発光駆動部１４に対する指示を行って発光部３における所望のレーザを点灯／消灯させる。
【００３３】
コントローラ１２に対しては、メモリ１３が設けられる。
図示するようにメモリ１３には、制御プログラム１３ａが記憶されると共に、ＢＤ用センター値１３ｂ、ＤＶＤ用センター値１３ｃ、及びＣＤ用センター値１３ｄが記憶されている。
ここで、制御プログラム１３ａは、後の図３に示す処理をコントローラ１２に実行させるためのプログラムとなる。
なお、メモリ１３に格納されるＢＤ用センター値１３ｂ、ＤＶＤ用センター値１３ｃ、及びＣＤ用センター値１３ｄの詳細については後述する。
【００３４】
［1-2．第１の実施の形態の補正値取得手法］
ここで、光学ピックアップＯＰでは、光学系を構成する各種光学素子や受光部６が有する受光素子などで個体ばらつきが発生し、受光部６で得られる受光信号レベルが個体ごとにばらつくことになる。このばらつきを吸収するため、個々の光ディスク装置１において、レベル調整部６を用いた受光信号レベルの補正を行うようにされている。
【００３５】
このとき、光学ピックアップＯＰとしては、光学素子やフォトディテクタ（OEIC）がＢＤ用とＤＶＤ・ＣＤ用とで別であったり、共通であっても受光信号レベルが異なることがある。従って、受光信号レベルの補正値としては、各フォーマットごとに個別に求めるということが必要となる。
【００３６】
このため従来では、受光信号レベルについての補正値を、それぞれのフォーマットに準拠した基準ディスクを用いて個別に求めるようにされていた。具体的には、ＢＤフォーマットに対応する補正値はＢＤフォーマットに準拠した基準ディスクを用いて求め、ＤＶＤフォーマットに対応する補正値はＤＶＤフォーマットに準拠した基準ディスクを用いて求め、ＣＤフォーマットに対応する補正値はＣＤフォーマットに準拠した基準ディスクを用いて求めるようにしていたものである。
【００３７】
しかしながら、このように各フォーマットの基準ディスクをそれぞれ用いて補正値を求めるということは、その分、補正値を求める工程に要する時間が増加するものとなり、結果、人件費等の増加に伴い製品コストの増加を招くものとなってしまう。
【００３８】
そこで本実施の形態では、各フォーマットに対応した補正値を、共通の反射体を用いて行うという手法を提案する。
具体的に、本実施の形態では、上記共通の反射体として、その反射率が既知である基準ディスクとしての光ディスク記録媒体の反射面を用いるものとする。より具体的には、上記基準ディスクとして、ＢＤフォーマット準拠の基準ディスクを用いるものとし、当該ＢＤの基準ディスクの記録面に対してＢＤ、ＤＶＤ、ＣＤの各レーザ光を集光したときの受光信号レベルをそれぞれ検出した結果に基づき、ＢＤ、ＤＶＤ、ＣＤの各フォーマットごとの受光レベル補正値を求めるものとする。
【００３９】
ここで、このような基準ディスクを用いた補正値の取得を行うとしたときは、予め、当該基準ディスクを用いたときに得られる基準となる受光信号レベル（基準レベル）が個々の光ディスク装置１に対して設定されている必要がある。
具体的に、この基準レベルとしては、センター品とされる光学ピックアップＯＰを用いて上記基準ディスクの記録面にレーザ光を集光して得られる受光信号レベルを予め求めておけばよい。
ここで、上記センター品とは、光学ピックアップＯＰの各種パラメータの値が、仕様で規定される値の範囲のちょうどセンター値近傍に位置している製品を意味するものである。
【００４０】
図１に示したＢＤ用センター値１３ｂ、ＤＶＤ用センター値１３ｃ、ＣＤ用センター値１３ｄは、このようなセンター品によって上記基準ディスクの記録面にレーザ光を集光したときに得られる受光信号レベル（以下、センター値と称する）を指す。
具体的に、ＢＤ用センター値１３ｂは、センター品としての光学ピックアップＯＰによってＢＤ用レーザを上記基準ディスクの記録面に集光させたときに得られる受光信号レベルを指し、ＤＶＤ用センター値１３ｃは、センター品としての光学ピックアップＯＰによってＤＶＤ用レーザを上記基準ディスクの記録面に集光させたときに得られる受光信号レベルを指すものである。同様に、ＣＤ用センター値１３ｄは、センター品としての光学ピックアップＯＰによってＣＤ用レーザを上記基準ディスクの記録面に集光させたときに得られる受光信号レベルを指す。
【００４１】
なお、このようなセンター値については、実際に工程で用いられる基準ディスクについてセンター品を用いて実測するものとしてもよいが、補正値を求める工程を複数の基準ディスクを用いて分担して行う（つまり並列的に行う）ことによって工程の時間短縮を図るという手法が採られる場合には、それら基準ディスクの個々についてセンター品を用いた受光信号レベルの実測を行わなければならないこととなって好ましくない。このように複数の基準ディスクを用いて工程の時間短縮を図るとした場合には、センター値は、例えば光学ピックアップＯＰの受光信号レベルの見積もりからのずれ量と記録面信号の値を複数台とり、その相関を取るなどして求めることが望ましい。
【００４２】
図２は、第１の実施の形態としての補正値取得手法についての説明するための図である。
この図２では、ＢＤ用レーザ（ＢＤＬＤ）を点灯してＢＤ基準ディスクに対しフォーカスサーチを行ったときの受光信号出力（図２Ａ）、ＤＶＤ用レーザ（ＤＶＤＬＤ）を点灯してＢＤ基準ディスクに対しフォーカスサーチを行ったときの受光信号出力（図２Ｂ）、ＣＤ用レーザ（ＣＤＬＤ）を点灯してＢＤ基準ディスクに対しフォーカスサーチを行ったときの受光信号出力（図２Ｃ）をそれぞれ示している。
【００４３】
第１の実施の形態の補正値取得手法では、先ずはＢＤ用レーザを点灯してＢＤ基準ディスクに対してフォーカスサーチを行う。
このフォーカスサーチによっては、図２Ａに示すように、受光信号には表面反射信号Ｒｓ_bdとしての１つの目のピークと、記録面反射信号Ｒｒ_bdとしての２つ目のピークが現れることになる。
【００４４】
また、本実施の形態では、このようなＢＤ用レーザによるフォーカスサーチを行った後、ＤＶＤ用レーザによるフォーカスサーチ、及びＣＤ用レーザによるフォーカスサーチを行う。
図２Ｂによると、ＤＶＤ用レーザによるフォーカスサーチを行った場合、受光信号には表面反射信号Ｒｓ_dvdとしての１つの目のピークと、記録面反射信号Ｒｒ_dvdとしての２つ目のピークが現れる。また図２Ｃによれば、ＣＤ用レーザによるフォーカスサーチを行った場合、受光信号には表面反射信号Ｒｓ_cdとしての１つの目のピークと、記録面反射信号Ｒｒ_cdとしての２つ目のピークが現れる。
なお、これらＤＶＤ用レーザ、ＣＤ用レーザを用いた場合の各ピークの間隔は、ＢＤ用レーザを用いた場合の各ピークの間隔と比較して非常に近接したものとなる。これは、各レーザについての開口数（ＮＡ）が異なることに起因した解像度の差に依るものである。
【００４５】
この図２を参照して分かるように、何れのフォーマットのレーザを用いた場合にも、フォーカスサーチにより記録面での受光信号レベル（記録面に集光時の受光信号レベル）を取得することができる。
このとき、表面に対して記録面の反射率は十分に高いので、記録面での受光信号レベルは、何れの場合も、フォーカスサーチを行った際の受光信号の最大値を検出することで取得できる。
【００４６】
本実施の形態では、このようにフォーカスサーチを行った際の受光信号の最大値を検出することで、ＢＤ、ＤＶＤ、ＣＤの各フォーマットに対応した記録面の受光信号レベルを取得する。このとき、ＢＤ用レーザでフォーカスサーチを行って得た記録面の受光信号レベルについては、本例ではこれを最大値検出により取得することから、以下、最大値Ｍａｘ_bdと表記する。
同様に、ＤＶＤ用レーザでフォーカスサーチを行って得た記録面の受光信号レベルについては最大値Ｍａｘ_dvd、ＣＤ用レーザでフォーカスサーチを行って得た記録面の受光信号レベルについては最大値Ｍａｘ_cdと表記する。
【００４７】
なお確認のために述べておくと、これら最大値Ｍａｘ（つまり各個体での基準ディスクについての記録面受光信号レベルの実測値）を取得する際にレベル調整部８に設定しておくゲインは、基準レベルとしてのセンター値を求めるときのレベル調整部８の設定ゲインと同等の値とする。具体的に、本例の場合は、初期値（仕様上の推奨値）としてのゲインが設定されるものとする。
【００４８】
これら最大値Ｍａｘ_bd、最大値Ｍａｘ_dvd、最大値Ｍａｘ_cdが得られれば、これらの値と、ＢＤ用センター値１３ｂ、ＤＶＤ用センター値１３ｃ、ＣＤ用センター値１３ｄとに基づいて、ＢＤ、ＤＶＤ、ＣＤの各フォーマットごとの受光信号レベルの補正値（ＡＤＪ）を求めることができる。
具体的に、ＢＤフォーマットについての補正値（ＡＤＪ_bdとする）は、最大値Ｍａｘ_bdとＢＤ用センター値１３ｂとの比率で求めることができる。すなわち、「ＢＤ用センター値１３ｂ／最大値Ｍａｘ_bd」を計算し、これをＢＤフォーマットに対応する補正値ＡＤＪ_bdとする。
このように求めた補正値ＡＤＪ_bdによれば、ＢＤ用レーザとＢＤ基準ディスクとの組み合わせ時に得られる受光信号レベルが、ＢＤ用センター値１３ｂ（つまりＢＤフォーマットの基準レベル）に補正されるようにできる。すなわち、ＢＤフォーマットについて、個体ごとのばらつきを吸収することのできる補正値が求まるものである。
【００４９】
同様に、ＤＶＤフォーマットについての補正値（ＡＤＪ_dvdとする）は、最大値Ｍａｘ_dvdとＤＶＤ用センター値１３ｃとの比率で求まり、具体的には「ＤＶＤ用センター値１３ｃ／最大値Ｍａｘ_dvd」を補正値ＡＤＪ_dvdとして計算する。これにより、ＤＶＤフォーマットに関して、個体ごとのばらつきを吸収できる補正値が求まる。
またＣＤフォーマットの補正値（ＡＤＪ_cdとする）は、最大値Ｍａｘ_cdとＣＤ用センター値１３ｄとの比率で求まり、具体的には「ＣＤ用センター値１３ｄ／最大値Ｍａｘ_cd」を補正値ＡＤＪ_cdとして計算する。これにより、ＣＤフォーマットに関して、個体ごとのばらつきを吸収できる補正値が求まる。
【００５０】
なお確認のために述べておくと、個々の光ディスク装置１により受光信号レベルの補正値ＡＤＪを求める工程は、基準ディスクを用いて行われることを考慮すれば分かるように、光ディスク装置１の製品出荷時などに行われるものであって、エンドユーザの下で行われるものではない。
光ディスク装置１には、このような基準ディスクを用いた補正値ＡＤＪの取得のための処理を実行するモードが設けられおり、光ディスク装置１は、このような補正値ＡＤＪの取得モードへの移行を指示するコマンドの入力に応じて、上記のようなフォーマットごとの補正値ＡＤＪ取得のための処理を実行することになる。
【００５１】
また、光ディスク装置１は、実際の記録／再生時において、補正値ＡＤＪに基づく受光信号レベルの補正（調整）を行うことになる。
具体的に、ＢＤについての記録／再生時には、上述のようにして求めたＢＤフォーマットについての補正値ＡＤＪ_bdに基づいて、レベル調整部８に受光信号レベルの調整を実行させる。
同様に、ＤＶＤについての記録／再生時には、上述のようにして求めたＤＶＤフォーマットについての補正値ＡＤＪ_dvdに基づきレベル調整部８に受光信号レベルの調整を実行させ、またＣＤの記録／再生時には、上述のようにして求めたＣＤフォーマットについての補正値ＡＤＪ_cdに基づきレベル調整部８に受光信号レベルの調整を実行させる。
これにより、ＢＤ，ＤＶＤ，ＣＤの各フォーマットに対応して、個体ごとの受光信号レベルばらつきを補正することができる。
【００５２】
上記による第１の実施の形態としての補正値取得手法によれば、ＢＤの基準ディスクのみを使用して各フォーマットごとの補正値ＡＤＪを取得することができる。
これにより、各フォーマットの基準ディスクをそれぞれ用いて補正値ＡＤＪを求めていた従来と比較して、工程に要する時間を効果的に短縮でき、結果、工程に要する人件費等を削減して、製品コストの削減を図ることができる。
また記録面を利用する手法としていることで、基準ディスクの表面に傷や埃等の付着があったとしても適正な補正値ＡＤＪの取得を行うことができる。
【００５３】
［1-3．処理手順］
図３は、図１に示した光ディスク装置１が、上記により説明した第１の実施の形態としての補正値取得手法を実現するために実行すべき具体的な処理の手順を示したフローチャートである。
なお、この図３に示す処理は、図１に示したコントローラ１２が制御プログラム１３ａに従って実行するものである。
【００５４】
図３において、先ずステップＳ１０１では、補正値取得モードコマンドが入力されるまで待機する。すなわち、補正値ＡＤＪの取得のための処理を実行するモードへの移行を指示するコマンドが入力されるまで待機するものである。
【００５５】
ステップＳ１０１において、補正値取得モードコマンドが入力されたとして肯定結果が得られた場合は、ステップＳ１０２において、ディスクが挿入されるまで待機する。すなわち本実施の形態の場合は、ＢＤ基準ディスクの挿入を待機するものである。
【００５６】
ステップＳ１０２において、ＢＤ基準ディスクが挿入されたとして肯定結果が得られた場合は、ステップＳ１０３において、ＢＤ用レーザ（ＢＤＬＤ）でフォーカスサーチを行い最大値（Ｍａｘ_bd）を取得する処理を実行する。
すなわち、図１に示した発光駆動部１４に指示を行って発光部３におけるＢＤ用レーザを点灯させた状態で、サーボ回路１０にフォーカスサーチの実行を指示する。このフォーカスサーチの実行時に得られる受光信号レベルをモニタし、その最大値をＢＤ用レーザ集光時の記録面の受光信号レベル（Ｍａｘ_bd）として取得する。
ここで本例の場合、受光信号レベルの検出は、Pull-In信号のレベル検出により行うものとしている。すなわちコントローラ１２は、上記フォーカスサーチの実行時に入力されるPull-In信号のレベルをモニタし、その最大値をＢＤ用レーザ集光時の記録面の受光信号レベル（Ｍａｘ_bd）として取得する。
【００５７】
ステップＳ１０３による最大値Ｍａｘ_bdの取得処理の実行後は、ステップＳ１０４において、最大値Ｍａｘ_bdとＢＤ用センター値１３ｂとの比率からＢＤ用の補正値（ＡＤＪ_bd）を求める。すなわち、「ＢＤ用センター値１３ｂ／最大値Ｍａｘ_bd」を補正値ＡＤＪ_bdとして計算する。
【００５８】
続くステップＳ１０５においては、ＤＶＤ用レーザ（ＤＶＤＬＤ）でフォーカスサーチを行い最大値（Ｍａｘ_dvd）を取得する処理を実行する。
すなわち、発光駆動部１４に指示を行って発光部３におけるＤＶＤ用レーザを点灯させた状態で、サーボ回路１０にフォーカスサーチの実行を指示し、当該フォーカスサーチの実行時に得られるPull-In信号レベルをモニタし、その最大値をＤＶＤ用レーザ集光時の記録面の受光信号レベル（Ｍａｘ_dvd）として取得する。
【００５９】
ステップＳ１０５による最大値Ｍａｘ_dvdの取得処理の実行後は、ステップＳ１０６において、最大値Ｍａｘ_dvdとＤＶＤ用センター値１３ｃとの比率からＤＶＤ用の補正値（ＡＤＪ_dvd）を求める。すなわち、「ＤＶＤ用センター値１３ｃ／最大値Ｍａｘ_dvd」を補正値ＡＤＪ_dvdとして計算する。
【００６０】
続くステップＳ１０７では、ＣＤ用レーザ（ＣＤＬＤ）でフォーカスサーチを行い最大値（Ｍａｘ_cd）を取得する処理を実行する。
すなわち、発光駆動部１４に指示を行って発光部３におけるＣＤ用レーザを点灯させた状態で、サーボ回路１０にフォーカスサーチの実行を指示し、当該フォーカスサーチの実行時に得られるPull-In信号レベルをモニタし、その最大値をＣＤ用レーザ集光時の記録面の受光信号レベル（Ｍａｘ_cd）として取得する。
【００６１】
ステップＳ１０７による最大値Ｍａｘ_cdの取得処理の実行後は、ステップＳ１０８において、最大値Ｍａｘ_cdとＣＤ用センター値１３ｄとの比率からＣＤ用の補正値（ＡＤＪ_cd）を求める。すなわち、「ＣＤ用センター値１３ｄ／最大値Ｍａｘ_cd」を補正値ＡＤＪ_cdとして計算する。
当該ステップＳ１０８の処理の実行後、この図に示す処理は終了となる。
【００６２】
ここで、コントローラ１２は、上記のようにして補正値取得モード下で求めた各補正値ＡＤＪを、例えばメモリ１３などの所要の記憶手段に記憶する。
実際の記録／再生時には、このように補正値取得モード下で取得・記憶された補正値ＡＤＪに基づき、受光信号レベルの補正が行われることになる。すなわちコントローラ１２は、ＢＤについての記録／再生時には、補正値ＡＤＪ_bdに基づくゲインをレベル調整部８に設定することで、受光信号レベルのばらつき補正を実行させる。またコントローラ１２は、ＤＶＤについての記録／再生時には、補正値ＡＤＪ_dvdに基づくゲインをレベル調整部８に設定することで受光信号レベルのばらつき補正を実行させ、またＣＤの記録／再生時には補正値ＡＤＪ_cdに基づくゲインをレベル調整部８に設定することで受光信号レベルのばらつき補正を実行させる。
【００６３】
＜２．第２の実施の形態（表面使用による補正値取得手法）＞
［2-1．光ディスク装置の構成例］
続いて、第２の実施の形態について説明する。
第２の実施の形態は、補正値ＡＤＪの取得にあたり基準ディスクを用いる点は第１の実施の形態と同様となるが、基準ディスクの記録面ではなく表面を用いる点が異なる。
また、先の第１の実施の形態では、基準ディスクとしてＢＤの基準ディスクを用いていたが、第２の実施の形態では、ＣＤの基準ディスクを用いる。
【００６４】
図２は、第２の実施の形態の光ディスク装置２０の内部構成を示した図である。
なお以下の説明において、既に説明済みとなった部分と同様の部分については同一符号を付して説明を省略する。
【００６５】
第２の実施の形態の光ディスク装置２０は、第１の実施の形態の光ディスク装置１と比較して、メモリ１３内に格納される制御プログラム１３ａが制御プログラム１３ｅに変更され、またＢＤ用センター値１３ｂ、ＤＶＤ用センター値１３ｃ、ＣＤ用センター値１３ｄに代えて、それぞれＢＤ用センター値１３ｆ、ＤＶＤ用センター値１３ｇ、ＣＤ用センター値１３ｈが記憶される点が異なる。
【００６６】
ここで、第２の実施の形態では、反射率が既知である基準ディスクとして、ＣＤ基準ディスクを用いる。また第２の実施の形態では、記録面を基準とした補正値ＡＤＪの取得を行うのではなく、表面を用いた補正値ＡＤＪの取得を行うものである。
このため、第２の実施の形態において補正値を求めるにあたり用いるセンター値（基準レベル）としては、センター品とされる光学ピックアップＯＰを用いてＣＤ基準ディスクの表面にレーザ光を集光して得られる受光信号レベルを予め求めておくことになる。
すなわち、上記ＢＤ用センター値１３ｆとしては、センター品としての光学ピックアップＯＰによってＢＤ用レーザをＣＤ基準ディスクの表面に集光させたときに得られる受光信号レベルを予め求めておき、これをメモリ１３に記憶させておく。同様に、ＤＶＤ用センター値１３ｇとしては、センター品としての光学ピックアップＯＰによってＤＶＤ用レーザをＣＤ基準ディスクの表面に集光させたときに得られる受光信号レベルを予め求めてこれをメモリ１３に記憶させ、またＣＤ用センター値１３ｈとしては、センター品としての光学ピックアップＯＰによってＣＤ用レーザをＣＤ基準ディスクの表面に集光させたときに得られる受光信号レベルを予め求めてこれをメモリ１３に記憶させておく。
【００６７】
［2-2．第２の実施の形態の補正値取得手法］
図５は、第２の実施の形態としての補正値取得手法についての説明するための図である。
図５ＡはＢＤ用レーザ（ＢＤＬＤ）を点灯してＣＤ基準ディスクに対しフォーカスサーチを行ったときの受光信号出力、図５ＢはＤＶＤ用レーザ（ＤＶＤＬＤ）を点灯してＣＤ基準ディスクに対しフォーカスサーチを行ったときの受光信号出力、図５ＣはＣＤ用レーザ（ＣＤＬＤ）を点灯してＣＤ基準ディスクに対しフォーカスサーチを行ったときの受光信号出力をそれぞれ示している。
【００６８】
ＢＤ用レーザを点灯してＣＤ基準ディスクにフォーカスサーチを行うと、図５Ａに示す表面反射信号Ｒｓ_bdとしてのピークが観測されるが、記録面のピークは観測されないこととなる。これは、ＣＤの記録面はＢＤ光学系にとって表面から遠過ぎる（すなわちＢＤ光学系のワーキングディスタンス外である）ことに起因する。
【００６９】
これに対し、ＤＶＤ用レーザ、ＣＤ用レーザを点灯してそれぞれＣＤ基準ディスクにフォーカスサーチを行った場合には、表面のピークと共に、記録面のピークも観測される。具体的に、図５Ｂに示すＤＶＤ用レーザの場合には、表面反射信号Ｒｓ_dvd、記録面反射信号Ｒｒ_dvdとしての２つのピークが、また図５Ｃに示すＣＤ用レーザの場合には表面反射信号Ｒｓ_cd、記録面反射信号Ｒｒ_cdとしての２つのピークが観測される。
【００７０】
第２の実施の形態では、このように観測される表面のピーク、すなわちＣＤ基準ディスクの表面にそれぞれのレーザ光が集光したときの各受光信号レベルを取得し、これら受光信号レベルと、メモリ１３に記憶されたＢＤ用センター値１３ｆ、ＤＶＤ用センター値１３ｇ、ＣＤ用センター値１３ｈとに基づき、ＢＤ，ＤＶＤ，ＣＤの各フォーマットに対応した補正値ＡＤＪを求める。
【００７１】
このとき、表面の受光信号レベルは、何れのレーザを用いた場合も、フォーカスサーチを行ったときの最初のピークを検出することで取得することができる。
このような最初のピークの検出は、具体的には、以下のような手法で行う。
先ず、図５に示すように、ＢＤ、ＤＶＤ、ＣＤのそれぞれに対応して閾値ｔｈを設定しておく。すなわち、ＢＤ用レーザを点灯したフォーカスサーチ時に対応する閾値ｔｈ_bd、ＤＶＤ用レーザを点灯したフォーカスサーチ時に対応する閾値ｔｈ_dvd、ＣＤ用レーザを点灯したフォーカスサーチ時に対応する閾値ｔｈ_cdを設定しておく。
ＢＤ用レーザ、ＤＶＤ用レーザ、ＣＤ用レーザを点灯したそれぞれのフォーカスサーチ時に受光信号をモニタし、当該受光信号のレベルが対応する閾値ｔｈを超えた区間におけるピーク値を検出することで、それぞれのフォーカスサーチ時の最初のピーク値を検出できる。すなわち、ＢＤ、ＤＶＤ、ＣＤの各フォーマットごとに、ＣＤ基準ディスクに対する表面集光時の受光信号レベルを取得することができる。
【００７２】
ここで、上記のような手法によって得た、ＢＤ用レーザでフォーカスサーチを行った場合におけるＣＤ基準ディスク表面の受光信号レベルについては、以下、ピーク値Ｐｅａｋ_bdと表記する。
同様に、上記手法によりＤＶＤ用レーザでフォーカスサーチを行って得たＣＤ基準ディスク表面の受光信号レベルについてはピーク値Ｐｅａｋ_dvd、ＣＤ用レーザでフォーカスサーチを行って得たＣＤ基準ディスク表面の受光信号レベルについてはピーク値Ｐｅａｋ_cdと表記する。
【００７３】
このようにして求めた各ピーク値Ｐｅａｋに基づき、各フォーマットごとの補正値ＡＤＪを求める。
具体的に、ＢＤフォーマットについての補正値ＡＤＪ_bdは、ピーク値Ｐｅａｋ_bdとＢＤ用センター値１３ｆとの比率で求める。すなわち、「ＢＤ用センター値１３ｆ／ピーク値Ｐｅａｋ_bd」を計算し、これをＢＤフォーマットに対応する補正値ＡＤＪ_bdとする。
【００７４】
同様に、ＤＶＤフォーマットについての補正値ＡＤＪ_dvdは、ピーク値Ｐｅａｋ_dvdとＤＶＤ用センター値１３ｇとの比率で求まり、具体的には「ＤＶＤ用センター値１３ｇ／ピーク値Ｐｅａｋ_dvd」を補正値ＡＤＪ_dvdとして計算する。
またＣＤフォーマットの補正値ＡＤＪ_cdは、ピーク値Ｐｅａｋ_cdとＣＤ用センター値１３ｈとの比率で求まり、具体的には「ＣＤ用センター値１３ｈ／ピーク値Ｐｅａｋ_cd」を補正値ＡＤＪ_cdとして計算する。
【００７５】
このような第２の実施の形態としての補正値取得手法によれば、ＣＤ基準ディスクのみを使用して各フォーマットごとの補正値ＡＤＪを取得することができる。従って、第２の実施の形態によっても、第１の実施の形態の場合と同様に補正値ＡＤＪを求める工程に要する時間を従来より短縮でき、製品コストの削減を図ることができる。
【００７６】
なお確認のため述べておくと、第２の実施の形態においても、取得した補正値ＡＤＪに基づき記録／再生時における受光信号レベル調整を行う点は第１の実施の形態の場合と同様となる。
【００７７】
［2-3．処理手順］
図６は、図４に示した光ディスク装置２０が、上記により説明した第２の実施の形態としての補正値取得手法を実現するために実行すべき具体的な処理の手順を示したフローチャートである。
なお、この図６に示す処理は、図４に示したコントローラ１２が制御プログラム１３ｅに従って実行するものである。
【００７８】
図６において、ステップＳ２０１の補正値取得モードコマンドの入力待機処理、及びステップＳ２０２のディスク装填待機処理は、それぞれ、図３にて説明したステップＳ１０１、Ｓ１０２の待機処理と同様となる。但しこの場合、ステップＳ２０２の待機処理では、ＣＤ基準ディスクの装填を待機することになる。
【００７９】
この場合、ステップ２０２においてＣＤ基準ディスクが挿入されたとして肯定結果が得られた場合は、ステップＳ２０３において、ＢＤ用レーザでフォーカスサーチを行い最初のピーク値（Ｐｅａｋ_bd）を取得する処理を実行する。
第２の実施の形態の場合も、受光信号レベルは、Pull-In信号のレベルを検出する。従ってコントローラ１２は、当該ステップＳ２０３において、ＢＤ用レーザでのフォーカスサーチの実行時に入力されるPull-In信号のレベルをモニタし、その最初のピーク値をＢＤ用レーザ集光時の表面の受光信号レベル（Ｐｅａｋ_bd）として取得する。
前述のように本例の場合、最初のピーク値は、閾値ｔｈを用いて検出する。すなわち、上記による最初のピーク値Ｐｅａｋ_bdの取得処理は、具体的には、上記フォーカスサーチの実行時に入力されるPull-In信号のレベルをモニタし、当該レベルが閾値ｔｈ_bdを超える区間でのPull-In信号のピーク値を検出することで行うものとなる。
【００８０】
ステップＳ２０３によるピーク値Ｐｅａｋ_bdの取得処理の実行後は、ステップＳ２０４において、ピーク値Ｐｅａｋ_bdとＢＤ用センター値１３ｆとの比率からＢＤ用の補正値（ＡＤＪ_bd）を求める。すなわち、「ＢＤ用センター値１３ｆ／ピーク値Ｐｅａｋ_bd」を補正値ＡＤＪ_bdとして計算する。
【００８１】
続くステップＳ２０５においては、ＤＶＤ用レーザでフォーカスサーチを行い最初のピーク値（Ｐｅａｋ_dvd）を取得する処理を実行する。
すなわち、発光部３におけるＤＶＤ用レーザを点灯させた状態でフォーカスサーチを実行させ、当該フォーカスサーチの実行時に得られるPull-In信号レベルをモニタし、そのレベルが閾値ｔｈ_dvdを超える区間での当該Pull-In信号のピーク値を、上記最初のピーク値Ｐｅａｋ_dvd、すなわちＤＶＤ用レーザ集光時の表面受光信号レベルとして取得する。
【００８２】
ステップＳ２０５によるピーク値Ｐｅａｋ_dvdの取得処理の実行後は、ステップＳ２０６において、ピーク値Ｐｅａｋ_dvdとＤＶＤ用センター値１３ｇとの比率からＤＶＤ用の補正値（ＡＤＪ_dvd）を求める。すなわち、「ＤＶＤ用センター値１３ｇ／ピーク値Ｐｅａｋ_dvd」を補正値ＡＤＪ_dvdとして計算する。
【００８３】
続くステップＳ２０７では、ＣＤ用レーザでフォーカスサーチを行い最初のピーク値（Ｐｅａｋ_cd）を取得する処理を実行する。
すなわち、発光部３におけるＣＤ用レーザを点灯させた状態でフォーカスサーチを実行させ、当該フォーカスサーチの実行時に得られるPull-In信号レベルをモニタし、そのレベルが閾値ｔｈ_cdを超える区間での当該Pull-In信号のピーク値を、上記最初のピーク値Ｐｅａｋ_cd、すなわちＣＤ用レーザ集光時の表面受光信号レベルとして取得する。
【００８４】
ステップＳ２０７によるピーク値Ｐｅａｋ_cdの取得処理の実行後は、ステップＳ２０８において、ピーク値Ｐｅａｋ_cdとＣＤ用センター値１３ｈとの比率からＣＤ用の補正値（ＡＤＪ_cd）を求める。すなわち、「ＣＤ用センター値１３ｈ／ピーク値Ｐｅａｋ_cd」を補正値ＡＤＪ_cdとして計算する。
当該ステップＳ２０８の処理の実行後、この図に示す処理は終了となる。
【００８５】
なお、第２の実施の形態のように基準ディスクの表面受光信号レベルを基準とした補正値取得手法とする場合には、各フォーマットごとの表面受光信号レベルの取得時にレベル調整部８に設定するゲイン（ひいては基準レベルとしてのセンター値の取得時のゲイン）は、十分な受光信号レベルが得られるべく、初期値よりも高めに設定することもできる。
【００８６】
また、このように基準ディスクの表面受光信号レベルを基準とした補正値取得手法は、ＣＤの基準ディスクではなく、ＤＶＤの基準ディスクを用いてもこれを実現できる。
ＤＶＤ基準ディスクを用いた場合、ＤＶＤ用レーザやＣＤ用レーザでフォーカスサーチを行った際の表面と記録面の間の時間長が異なるものとなるが、何れにしても、フォーカスサーチを行った際の最初のピーク値を取得すれば、基準ディスクの表面受光信号レベルが得られることに変わりは無い。つまりこのことからも理解されるように、ＤＶＤ基準ディスクを用いた場合としても、上記により説明した補正値取得手法とすることで（もちろんセンター値としてはＤＶＤ基準ディスクの表面にセンター品でレーザ光を集光させたときの受光信号レベルを求めておくことになる）、各フォーマットに対応する補正値ＡＤＪを同様に求めることができる。
【００８７】
＜３．第３の実施の形態（ドライブに設けた反射体使用による補正値取得手法）＞
［3-1．光ディスク装置の構成例］
第３の実施の形態は、基準ディスクの代わりに、光ディスク装置内の所定位置に設けた反射体を利用して補正値の取得を行うものである。
【００８８】
図７は、第３の実施の形態の光ディスク装置３０の内部構成を示している。
第３の実施の形態の光ディスク装置３０には、光学ピックアップＯＰのレーザ光の出射端面に対して対向する側に設けられることになる天板３１上に、突起部３２が設けられる。この突起部３２には、その先端部（つまり光学ピックアップＯＰの上記レーザ出射端面に対向する位置）に対して、反射率が既知であるミラー面３２Ａが形成されている。
【００８９】
ここで、図８は、突起部３２の形成位置（ミラー面３２Ａの形成位置）の例を示している。
突起部３２の形成位置は、光学ピックアップＯＰによってミラー面３２Ａにレーザ光を集光できる位置で、且つ光ディスクＤが装着された場合の位置（図中、ディスク位置）に対し半径方向にて重ならない位置とすることが望ましい。
ここで、ディスク位置に対して半径方向に重ならない位置とするのは、ディスク有無の判別の際に誤ってミラー面３２Ａにレーザ光が集光してしまい、ディスク有りと誤判定されてしまうことを防止することを意図してのことである。
【００９０】
説明を図７に戻す。
第３の実施の形態の光ディスク装置３０には、半径センサ３３が設けられる。この半径センサ３３は、光学ピックアップＯＰの半径位置（ひいては半径方向におけるレーザ光の集光位置）を検出する。半径センサ３３により得られた半径位置情報は、コントローラ１２に対して供給される。
【００９１】
またこの場合の光ディスク装置３０では、メモリ１３内において制御プログラム１３ａに代えて制御プログラム１３ｉが記憶され、またＢＤ用センター値１３ｂ、ＤＶＤ用センター値１３ｃ、ＣＤ用センター値１３ｄに代えてそれぞれＢＤ用センター値１３ｊ、ＤＶＤ用センター値１３ｋ、ＣＤ用センター値１３ｌが記憶される。
【００９２】
ここで、この場合のＢＤ用センター値１３ｊは、ミラー面３２Ａと同等の反射率を有する反射体に対しセンター品としての光学ピックアップＯＰによりＢＤ用レーザを集光したときに得られる受光信号レベルを予め求めたものとなる。
同様に、ＤＶＤ用センター値１３ｋは上記反射体に対しセンター品としての光学ピックアップＯＰによりＤＶＤ用レーザを集光したときに得られる受光信号レベルであり、ＣＤ用センター値１３ｌは上記反射体に対しセンター品としての光学ピックアップＯＰによりＢＤ用レーザを集光したときに得られる受光信号レベルとなる。
【００９３】
［3-2．第３の実施の形態の補正値取得手法］
図９は、第３の実施の形態としての補正値取得手法についての説明するための図である。
図９ＡはＢＤ用レーザ（ＢＤＬＤ）を点灯してミラー面３２Ａに対するフォーカスサーチを行ったときの受光信号出力、図９ＢはＤＶＤ用レーザ（ＤＶＤＬＤ）を点灯してミラー面３２Ａに対するフォーカスサーチを行ったときの受光信号出力、図９ＣはＣＤ用レーザ（ＣＤＬＤ）を点灯してミラー面３２Ａに対するフォーカスサーチを行ったときの受光信号出力をそれぞれ示している。
【００９４】
ここで、ミラー面３２Ａを対象としてフォーカスサーチを行うには、光学ピックアップＯＰを突起部３２の形成位置に移動させておく必要がある。
第３の実施の形態では、補正値取得モードへの移行が指示されたときには、先ず、コントローラ１２が半径センサ３３からの半径位置情報を参照しながらサーボ回路１０に指示を行ってスライド駆動部７による光学ピックアップＯＰのスライド移動を実行させることで、光学ピックアップＯＰの半径位置（半径方向におけるレーザ光の集光位置）を突起部３２の形成位置に移動させる。
【００９５】
そして、このように光学ピックアップＯＰを移動させた上で、ＢＤ用レーザ、ＤＶＤ用レーザ、ＣＤ用レーザを用いたフォーカスサーチをそれぞれ行って、各フォーマットごとにミラー面３２Ａの集光時の受光信号レベルを取得する。
【００９６】
図９を参照して分かるように、この場合、ＢＤ用レーザ、ＤＶＤ用レーザ、ＣＤ用レーザの何れを用いたときも、フォーカスサーチ時の受光信号にはミラー面３２Ａへの集光時に対応したピークが得られる。
この場合、フォーカスサーチ時のピークは何れの場合でも１つしか現れないので、受光信号レベルの取得としては、第１の実施の形態のように最大値を検出する手法、第２の実施の形態のように最初のピークを検出する手法の何れで行ってもよい。
【００９７】
本例では、第１の実施の形態と同様に最大値を検出する手法を採用するものとする。
ここで、この場合も当該最大値の検出によって取得したＢＤ用レーザ集光時の受光信号レベル（この場合はミラー面３２Ａ集光時の受光信号レベル）については、最大値Ｍａｘ_bdとする。
同様に、ＤＶＤ用レーザ集光時の受光信号レベルは最大値Ｍａｘ_dvd、ＣＤ用レーザ集光時の受光信号レベルは最大値Ｍａｘ_cdとする。
【００９８】
このように各フォーマットごとのミラー面３２Ａ集光時の最大値Ｍａｘを取得した後は、これら最大値Ｍａｘと、メモリ１３に記憶されたＢＤ用センター値１３ｊ、ＤＶＤ用センター値１３ｋ、ＣＤ用センター値１３ｌとに基づき、ＢＤ，ＤＶＤ，ＣＤの各フォーマットに対応した補正値ＡＤＪを求める。
ＢＤフォーマットについての補正値ＡＤＪ_bdについては、最大値Ｍａｘ_bdとＢＤ用センター値１３ｊとの比率により求まり、具体的には「ＢＤ用センター値１３ｊ／最大値Ｍａｘ_bd」を補正値ＡＤＪ_bdとして計算する。
同様に、ＤＶＤフォーマットについての補正値ＡＤＪ_dvdは最大値Ｍａｘ_dvdとＤＶＤ用センター値１３ｋとの比率で求まり、具体的には「ＤＶＤ用センター値１３ｋ／最大値Ｍａｘ_dvd」を補正値ＡＤＪ_dvdとして計算する。
またＣＤフォーマットの補正値ＡＤＪ_cdは最大値Ｍａｘ_cdとＣＤ用センター値１３ｌとの比率で求まり、具体的には「ＣＤ用センター値１３ｌ／最大値Ｍａｘ_cd」を補正値ＡＤＪ_cdとして計算する。
【００９９】
このような第３の実施の形態としての補正値取得手法によれば、光ディスク装置３０に設けられた共通のミラー面３２Ａを使用して各フォーマットごとの補正値ＡＤＪを取得することができる。従って、第３の実施の形態によっても、第１の実施の形態の場合と同様に補正値ＡＤＪを求める工程に要する時間を従来より短縮でき、製品コストの削減を図ることができる。
【０１００】
なお、第３の実施の形態においても、取得した補正値ＡＤＪに基づき記録／再生時における受光信号レベル調整を行う点は第１の実施の形態の場合と同様である。
【０１０１】
［3-3．処理手順］
図１０は、図７に示した光ディスク装置３０が、上記により説明した第３の実施の形態としての補正値取得手法を実現するために実行すべき具体的な処理の手順を示したフローチャートである。
なお、この図１０に示す処理は、図７に示すコントローラ１２が制御プログラム１３ｉに従って実行するものである。
【０１０２】
図１０において、ステップＳ３０１の補正値取得モードコマンドの待機処理は、先のステップＳ１０１の処理と同様となる。
【０１０３】
この場合、ステップＳ３０１において補正値取得モードコマンドが入力されたとして肯定結果が得られた場合は、ステップＳ３０２において、突起部３２への移動処理を実行する。すなわち前述のように、半径センサ３３からの半径位置情報を参照しながらサーボ回路１０に指示を行ってスライド駆動部７による光学ピックアップＯＰのスライド移動を実行させることで、光学ピックアップＯＰの半径位置を突起部３２の形成位置に移動させるものである。
【０１０４】
ステップＳ３０２による移動処理を実行した後に行われるステップＳ３０３〜Ｓ３０８の処理は、先の図３に示したステップＳ１０３〜Ｓ３０８の処理と同様となる。
但しこの場合、ステップＳ３０４では最大値Ｍａｘ_bdとＢＤ用センター値１３ｊとの比率から補正値ＡＤＪ_bdを求め、ステップＳ３０６では最大値Ｍａｘ_dvdとＤＶＤ用センター値１３ｋとの比率から補正値ＡＤＪ_dvdを求め、またステップＳ３０８では最大値Ｍａｘ_cdとＣＤ用センター値１３ｌとの比率から補正値ＡＤＪ_cdを求める点は、第１の実施の形態の場合と異なる。
【０１０５】
なお、上記による説明では、ミラー面３２Ａを突起部３２上に形成する場合を例示したが、例えばミラー面３２Ａは天板３１上に直接的に形成するなど、突起部３２上以外に形成することもできる。
但し、天板３１の位置が高い場合などには、対物レンズ４のワーキングディスタンスとの関係で、天板３１上に直接形成したミラー面３２Ａにレーザ光を合焦させることができない場合も考えられる。そのような場合には、突起部３２を形成することで、当該突起部３２の高さ調整によりミラー面３２Ａの位置をワーキングディスタンス内に収めるといったことができ、好適である。
【０１０６】
＜４．変形例＞
以上、本技術に係る各実施の形態について説明したが、本技術はこれまでで説明した具体例に限定されるべきものではない。
例えばこれまでの説明では、反射率が既知である反射体についての受光信号レベルの取得を、ＢＤ用レーザ、ＤＶＤ用レーザ、ＣＤ用レーザの順で点灯させて行う場合を例示したが、点灯の順番はこれに限定されるべきものではない。
【０１０７】
また、或るフォーマットのレーザを点灯するごとに（つまり或るフォーマットについての受光信号レベルの取得ごとに）そのフォーマットに対応する補正値ＡＤＪを逐次計算するものとしたが、補正値ＡＤＪの計算は全フォーマットの受光信号レベルの取得が完了した後にまとめて行うといったことも可能であり、例示したような逐次の計算を行う手法に限定されるべきものではない。
【０１０８】
また、基準ディスクを用いる手法以外の手法として、光ディスク装置に反射率が既知のミラー面３２Ａを形成する場合のみを例示したが、例えば光ディスク記録媒体としての構造は有さないが、光ディスク装置に装着可能に構成され、反射率が既知の反射体がその表面に形成された媒体を用いるなどしても、同様の補正値取得を行うことが可能である。
このような媒体を用いた補正値取得は、第２の実施の形態と同様の手法により行うことができる。
【０１０９】
また、本技術は、以下の（１）〜（１２）に示す構成とすることも可能である。
（１）
複数の光ディスク記録媒体のフォーマットにそれぞれ対応した複数の光源と、
上記光源より出射された光を対物レンズを介して出射すると共に、当該対物レンズを介して得られる戻り光を受光する光照射／受光部と、
上記光照射／受光部で得られた受光信号のレベル調整を行うレベル調整部と、
上記複数の光源より出射された光を反射率が既知である共通の反射体にそれぞれ集光したときの戻り光の受光信号レベルを取得すると共に、それら取得した受光信号レベルと、上記フォーマットごとに定められた上記受光信号の基準レベルとに基づき、上記フォーマットごとに、上記受光信号レベルを上記基準レベルに補正するための補正値を求める補正値取得部と
を備える光ディスク装置。
（２）
上記反射体は、上記光ディスク装置に装着可能な形状を有する媒体に形成されたものであり、
上記補正値取得部は、
上記媒体に形成された上記反射体に上記複数の光源より出射された光をそれぞれ集光したときの戻り光の受光信号レベルを取得した結果に基づき、上記フォーマットごとの上記補正値を求める
上記（１）に記載の光ディスク装置。
（３）
上記反射体は、その反射率が既知である基準ディスクとしての光ディスク記録媒体の反射面であり、
上記補正値取得部は、
上記基準ディスクに形成された上記反射面に上記複数の光源より出射された光をそれぞれ集光したときの戻り光の受光信号レベルを取得した結果に基づき、上記フォーマットごとの上記補正値を求める
上記（２）に記載の光ディスク装置。
（４）
上記反射面は、上記基準ディスクの記録面であり、
上記補正値取得部は、
上記基準ディスクの記録面に上記複数の光源より出射された光をそれぞれ集光したときの戻り光の受光信号レベルを取得した結果に基づき、上記フォーマットごとの上記補正値を求める
上記（３）に記載の光ディスク装置。
（５）
上記複数の光源としてＣＤ（Compact Disc）用光源、ＤＶＤ（Digital Versatile Disc）用光源、ＢＤ（Blu-ray Disc）用光源をそれぞれ備え、
上記基準ディスクは、ＢＤフォーマットに準拠した基準ディスクとされ、
上記補正値取得部は、
上記基準ディスクの記録面に上記複数の光源より出射された光をそれぞれ集光したときの戻り光の受光信号レベルを取得した結果に基づき、ＣＤ、ＤＶＤ、ＢＤの各フォーマットごとの上記補正値を求める
上記（４）に記載の光ディスク装置。
（６）
上記補正値取得部は、
上記対物レンズをフォーカス方向に駆動したときに得られる上記受光信号の最大値を、上記記録面への集光時の受光信号レベルとして取得する
上記（５）に記載の光ディスク装置。
（７）
上記反射面は、上記基準ディスクの表面であり、
上記補正値取得部は、
上記基準ディスクの表面に上記複数の光源より出射された光をそれぞれ集光したときの戻り光の受光信号レベルを取得した結果に基づき、上記フォーマットごとの上記補正値を求める
上記（３）に記載の光ディスク装置。
（８）
上記複数の光源としてＣＤ（Compact Disc）用光源、ＤＶＤ（Digital Versatile Disc）用光源、ＢＤ（Blu-ray Disc）用光源をそれぞれ備え、
上記基準ディスクは、ＣＤフォーマット又はＤＶＤフォーマットに準拠した基準ディスクとされ、
上記補正値取得部は、
上記基準ディスクの表面に上記複数の光源より出射された光をそれぞれ集光したときの戻り光の受光信号レベルを取得した結果に基づき、ＣＤ、ＤＶＤ、ＢＤの各フォーマットごとの上記補正値を求める
上記（７）に記載の光ディスク装置。
（９）
上記補正値取得部は、
上記対物レンズをフォーカス方向に駆動したときに最初に得られた上記受光信号のピーク値を、上記表面への集光時の受光信号レベルとして取得する
上記（８）に記載の光ディスク装置。
（１０）
上記補正値取得部は、
上記光ディスク装置の所定位置に対して設けられた上記反射体に上記複数の光源より出射された光をそれぞれ集光したときの戻り光の受光信号レベルを取得した結果に基づき、上記フォーマットごとの上記補正値を求める
上記（１）に記載の光ディスク装置。
（１１）
上記反射体は、
上記光照射／受光部により上記光源から出射された光を集光できる位置で、且つ光ディスク記録媒体が装着された場合の位置に対し半径方向にて重ならない位置に形成されている
上記（１０）に記載の光ディスク装置。
（１２）
装填された光ディスク記録媒体のフォーマットに対応した上記補正値に基づいて上記レベル調整部によるレベル調整を実行させるレベル補正制御部をさらに備える
上記（１）〜（１１）に記載の光ディスク装置。
【符号の説明】
【０１１０】
１,２０,３０  光ディスク装置、２  スピンドルモータ（ＳＰＭ）、３  発光部、４  対物レンズ、５  ２軸アクチュエータ、６  受光部、７  スライド駆動部、８  レベル調整部、９  信号生成回路、１０  サーボ回路、１１  ２軸ドライバ、１２  コントローラ、１３  メモリ、１３ａ,１３ｅ,１３ｉ  制御プログラム、１３ｂ,１３ｆ,１３ｊ  ＢＤ用センター値、１３ｃ,１３ｇ,１３ｋ  ＤＶＤ用センター値、１３ｄ,１３ｈ,１３ｌ  ＣＤ用センター値、１４  発光駆動部、３１  天板、３２  突起部、３２Ａ  ミラー面、３３  半径センサー、ＯＰ  光学ピックアップ、Ｄ  光ディスク
【図１】
2012248245.tif 000003
【図２】
2012248245.tif 000004
【図３】
2012248245.tif 000005
【図４】
2012248245.tif 000006
【図５】
2012248245.tif 000007
【図６】
2012248245.tif 000008
【図７】
2012248245.tif 000009
【図８】
2012248245.tif 000010
【図９】
2012248245.tif 000011
【図１０】
2012248245.tif 000012